(57)【特許請求の範囲】
【請求項１】
基板の上面に、多数の孔がマトリクス状に設けられた弾性体を密着してそれぞれの孔内に所定量の蛋白質試料溶液が注入された蛋白質チップにあって、上面に基板を保持する基板係止部が少なくとも１つ以上設けられた基板保持部材と、基板保持部材の一方端部にて基板保持部材の上面を覆うように回動可能に支持され、基板保持部材に対する相対面に弾性体を保持する弾性体係止部が基板保持部に相対して設けられると共に保持された弾性体の孔に一致して開口部が設けられた弾性体保持部材と、弾性体保持部材の上面にて移動可能に支持され、開口部を開閉する開閉部材と、基板保持部材に対して弾性体保持部材がその上面を覆うように回動された際に弾性体保持部材に係止し、基板保持部材に保持された基板に対して弾性体保持部材に保持された弾性体を弾性変形させて密着させる錠止部材とからなる蛋白質チップ保持具。
【請求項２】
弾性体はシリコンゴム板からなり、基板に対する相対面を研磨により平滑処理してなる請求項１の蛋白質チップ保持具。
【請求項３】
弾性体保持部材の開口部は弾性体の各孔に相対して個別に設けた蛋白質チップ保持具。
【請求項４】
弾性体保持部材の開口部は弾性体の各孔に相対し、かつ孔の配列方向に連続するスリットとした蛋白質チップ保持具。
【請求項５】
錠止部材は基板保持部材における弾性体保持部材の自由端部側に揺動可能に支持される係止アームからなる蛋白質チップ保持具。
【請求項６】
係止アームには弾性体保持部材に対する相対面に付勢部材を設け、該付勢部材の付勢力により弾性体保持部材を基板保持部材側へ付勢して弾性体を基板に密着させる請求項５の蛋白質チップ保持具。
【請求項７】
開閉部材は弾性体保持部材が基板保持部材を覆うように回動された際に作動部材に連結し、該作動部材の作動により開閉作動される請求項１の蛋白質チップ保持具。
【請求項８】
基板の上面に、多数の孔がマトリクス状に設けられた弾性体を密着してそれぞれの孔内に所定量の蛋白質試料溶液が注入された蛋白質チップにあって、上面に基板の一部を保持する下向き凹部が少なくとも１つ以上設けられた基板保持部材と、基板保持部材の一方端部にて基板保持部材の上面を覆うように回動可能に支持され、基板保持部材に対する相対面に弾性体の一部を保持する上向き凹部が下向き凹部に相対して設けられると共に保持された弾性体の孔に一致し、かつ孔の配列方向へ連続する複数のスリットが設けられた弾性体保持部材と、弾性体保持部材の上面にて移動可能に支持され、各スリットを開閉する開閉部材と、基板保持部材に対して弾性体保持部材がその上面を覆うように回動された際に弾性体保持部材の自由端部に係止して弾性体保持部材に保持された弾性体を弾性変形させて基板保持部材に保持された基板に密着させる錠止部材とからなる蛋白質チップ保持具。
【発明の詳細な説明】
【０００１】
【発明が属する技術分野】
本発明は、基板上に多数の蛋白質試料溶液をスポッティングして蛋白質チップを作製したり、作製された蛋白質チップの各蛋白質試料溶液に被検試料を分注して固定化反応や検出反応等の各種分析を行う際に使用する蛋白質チップ保持具に関する。
【０００２】
【発明が解決しようとする課題】
例えば臨床現場における血液検査のような蛋白質スクリーニングや定量測定等の各種蛋白質分析を行う際には、マイクロタイタープレート（８０ｍｍ×１２０ｍｍ、９６穴または３８４穴）の各穴に蛋白質試料溶液を分注して蛋白質チップを作製した後、蛋白質チップの各穴内に被検試料溶液を分注して固定化反応や検出反応させることにより被検試料の分析を行っている。
【０００３】
近年、蛋白質分析やオリゴヌクレオチド（ＤＮＡ、ＲＮＡ）分析においては、一回の分析作業で多数の被検体を効率的に分析すると共に消費される試料を低減するため、一枚の基板上にスポッティングされる試料数を大量化すると共に高密度化している。この結果、基板上にスポッティングされる試料の量としては、１スポット当り、マイクロリットルオーダーやナノリットルオーダーの極微量にする必要がある。
【０００４】
しかし、蛋白質試料にあっては、そのスポッティング量を上記した極微量とした場合には、極めて短時間に乾燥して蛋白質自体が変性したり、失活して分析作業が不可能になる問題を有している。即ち、蛋白質チップを作製する際には、乾燥による蛋白質自体の変性及び失活を回避しながらスポッティング数の増大を図る必要がある。
【０００５】
本発明は、上記した従来の欠点を解決するために発明されたものであり、その課題とする処は、基板上にスポッティングされる蛋白質試料の極微量化を図りながら蛋白質の乾燥による変性及び失活を防止して分析作業を有効に行うことができる蛋白質チップ保持具を提供することにある。
【０００６】
【課題を解決するための手段】
本発明は、基板の上面に、多数の孔がマトリクス状に設けられた弾性体を密着してそれぞれの孔内に所定量の蛋白質試料溶液が注入された蛋白質チップにあって、上面に基板を保持する基板係止部が少なくとも１つ以上設けられた基板保持部材と、基板保持部材の一方端部にて基板保持部材の上面を覆うように回動可能に支持され、基板保持部材に対する相対面に弾性体を保持する弾性体係止部が基板保持部に相対して設けられると共に保持された弾性体の孔に一致して開口部が設けられた弾性体保持部材と、弾性体保持部材の上面にて移動可能に支持され、開口部を開閉する開閉部材と、基板保持部材に対して弾性体保持部材がその上面を覆うように回動された際に弾性体保持部材に係止し、基板保持部材に保持された基板に対して弾性体保持部材に保持された弾性体を弾性変形させて密着させる錠止部材とからなることを特徴とする。
【０００７】
【発明の実施形態】
以下、本発明の実施形態を図に従って説明する。
図１〜図７において、蛋白質試料溶液スポッティング装置１は吸引吐出装置３と分注装置５とから構成され、本発明に係る蛋白質チップ保持具７は分注装置５の分注箇所に固定的または着脱可能に取り付けられる。
【０００８】
先ず、蛋白質試料溶液スポッティング装置１に付いて説明する。
蛋白質試料溶液スポッティング装置１における本体フレーム９の図示右側には吸引吐出装置３が配置され、吸引吐出装置３の可動体１１はＸ軸駆動機構、Ｙ軸駆動機構及びＺ軸駆動機構（何れも図示せず）により三次元方向へ往復移動される。
【０００９】
上記した各軸の駆動機構としてはサーボモータに連結された送りねじと各軸の可動体に設けられるナットから構成される送りねじ駆動機構、一方がサーボモータに連結された一対の回転体に張設されたベルトの一部を各軸の可動体に固定したベルト駆動機構またはサーボモータを固定子と可動体に設けられる可動子とから構成したリニアモータで構成すればよい。
【００１０】
可動体１１には上下方向に軸線を有した多数の吸引針１３がＸ軸方向及びＹ軸方向へ所定の間隔をおき、例えば８×１２マトリクス状に配列される。各吸引針１３はその先端部が本体フレーム９上に載置された容器体の各溜り部（何れも図示せず）に相対している。該容器体の各溜り部には作製される後述する蛋白質チップ３３の基板３５上にスポッティングされる同一種類または異なる種類の蛋白質試料溶液や蛋白質チップ３３にスポッティングされた蛋白質試料に反応させる被検試料溶液が溜められる。
【００１１】
各吸引針１３の基端部は吸引吐出切換装置１７にパイプ１８を介してそれぞれ接続される。吸引吐出切換装置１７は吸引針１３の本数と一致する個数の吸引部及び吐出部を隣設して設けた固定盤（図示せず）と、該固定盤に対して気密状で、吸引部及び吐出部の配置間隔に応じた距離で移動するように支持され、各吸引部及び吐出部に対して選択的に連通する吸引吐出部を有した切換盤（図示せず）とから構成される。
【００１２】
そして固定盤の吸引部には吸引針１３に接続されたパイプ１８の端部が接続される。また、吐出部には後述する分注装置５に接続されるパイプ２３の端部が接続される。更に、切換盤の吸引吐出部には吸引吐出装置２５に接続されるパイプ２７の端部が接続される。
【００１３】
吸引吐出装置２５は、例えば吸引針１３と同数のシリンジ２５ａからなり、ピストンの往復移動に伴って各溜り部内に溜められた蛋白質試料溶液や被検試料溶液をシリンジ２５ａ内に吸引すると共に吸引された蛋白質試料溶液や被検試料溶液を分注装置５へ吐出する。蛋白質試料溶液や被検試料溶液の吸引量及び吐出量はピストンの移動ストロークにより適宜設定される。分注装置５に対する蛋白質試料溶液や被検試料溶液の吐出量は、例えば０．５〜１０μｌ、望ましくは５μｌになるようにピストンのストロークを設定すればよい。
【００１４】
尚、蛋白質試料溶液及び被検試料溶液は、蛋白質及びこれと反応する被検試料を、例えばＰＢＳ（０．１４Ｍ塩化ナトリウム、０．０１Ｍリン酸緩衝液、ｐＨ：７．２に調整した）に溶解した溶液とする。
【００１５】
本体フレーム９の図示左側には分注装置５が配置される。該分注装置５の可動体２９は吸引吐出装置３のＸ軸、Ｙ軸及びＺ軸駆動機構と同様の駆動機構（何れも図示せず）により三次元方向へ移動制御される。
【００１６】
そして可動体２９の下面には上下方向に軸線を有し、例えばＸ軸及びＹ軸方向へ約１００〜１０００μｍの間隔をおき、８×１２マトリクス状に配列された多数の分注針３１が取り付けられる。各分注針３１は先端面の直径が約５００〜２０００μｍで、その基端部には上記したパイプ２３が夫々接続される。
【００１７】
各分注針３１の先端部は分注装置５に設けられた蛋白質チップ保持具７にセットされた多数の蛋白質チップ３３に対して選択的に相対する。
【００１８】
各蛋白質チップ３３はスライドガラス、ポリエチレンやポリプロピレンのプラスチック板等の基板３５上にシリコンゴム製の弾性体を構成する弾性板３７を積層した構造からなる。弾性板３７には分注針３１と一致する個数及び配列（８×１２マトリクス）の孔３７ａが形成され、少なくとも基板３５に対する相対面を研磨して平滑化処理し、基板３５に対する弾性板３７の密着性を確保している。
【００１９】
尚、蛋白質試料溶液スポッティング装置１の詳細に付いては、特願２００１−３４１３８号及び特願２００１−２７７３１号に詳細に記載されているため、その詳細に付いては省略する。
【００２０】
次に、蛋白質チップ保持具７を説明する。
分注装置５側の本体フレーム９には蛋白質チップ保持具７が固定的または着脱可能に取り付けられる。該蛋白質チップ保持具７の基板保持部材を構成するベース板３９は、例えば長手方向を図示する左右方向に向けた５枚の基板３５を長手直交方向（前後方向）へ適宜の間隔をおいて配置可能な大きさで、その上面には基板３５の平面形状と一致する形状の５個の下向き凹所４１が、前後方向へ適宜の間隔をおいて設けられる。ベース板３９は各下向き凹所４１に基板３５の下部を係合して保持する。
【００２１】
また、各下向き凹所４１内に位置するベース板３９には切欠部４３が夫々形成され、夫々の切欠部４３内に指等を差し込んで下向き凹所４１内に係合した基板３５の取り外し可能にする。
【００２２】
ベース板３９の図示する左側端部には弾性体保持部材を構成する保持板４５が回動可能に支持される。即ち、ベース板３９における図示する左側前後端部には軸受部４７が設けられ、該軸受部４７に保持板４５の図示する左側前後端部に設けられた軸支部４９を軸支して保持板４５を、ベース板３９上面を覆う位置と離間した位置との間で回動させる。
【００２３】
保持板４５の底面（ベース板３９に対する相対面）には下向き凹所４１と一致する大きさの上向き凹所５１が、ベース板３９の上面側に保持板４５が回動された際に各下向き凹所４１に相対するように夫々形成され、これら上向き凹所５１に蛋白質チップ３３の一部を構成する弾性板３７を係合して保持させる。
【００２４】
該上向き凹所５１に応じた保持板４５には開口部としての多数の孔４５ａが、夫々上向き凹所５１内に保持された弾性板３７におけるそれぞれの孔３７ａと一致して設けられる。
【００２５】
保持板４５の上面には開閉板５３が、保持板４５における各孔４５ａの左右方向間隔の約１／２幅で図示する左右方向へ移動可能に支持される。該開閉板５３には保持板４５上の図示する左側へ移動された際に夫々の孔４５ａと一致する多数のスリット５３ａが形成され、該スリット５３ａ及び孔４５ａを介して弾性板３７における各孔３７ａを外部に露出させる一方、保持板４５に対して開閉板５３を図示する右側へ移動した際に、夫々のスリット５３ａを各孔４５ａ間の保持板４５の上面に位置させて対応する位置の孔３７ａ・４５ａを閉鎖する。
【００２６】
保持板４５に対して開閉板５３をスライド可能に支持する構造としては図１に示すように保持板４５の上面に開閉板５３を載置した状態で保持板４５の長手方向両端部に設けられた支持板５４により開閉板５３の各端部を移動可能に支持する構造の他に、図６に示すように開閉板５３の前後方向各端部を断面コ字形に折曲して保持板４５の前後方向各端部に移動可能に係合して支持する構造、または図７に示すように開閉板５３の前後方向各端部に図示する左右方向幅が開閉板５３の移動幅と一致する長さのスリット５３ｂを夫々形成すると共に各スリット５３ｂ内を挿通する段付き軸や段付きねじ等の係合部材５３ｃを保持板４５に設け、保持板４５に対して開閉板５３を移動可能に支持する何れの構造であってもよい。
【００２７】
開閉板５３の図示する右側の前後各端部には作動アーム５５が外方へ突出するように形成され、夫々の作動アーム５５には係合孔５５ａが設けられる。そして各作動アーム５５の係合孔５５ａにはベース板３９の図示する右側前後各端部に取り付けられた電磁ソレノイドやエアーシリンジ等の作動部材５７に設けられた係合部５７ａが係合し、該作動部材５７の作動により開閉板５３を保持板４５に対して開閉動作させる。
【００２８】
ベース板３９の図示する右側には錠止部材５９が回動可能に支持される。該錠止部材５９はベース板３９の上面を覆うように回動された保持板４５の図示する右側端部を前後方向の全体にわたって当接する錠止アーム部５９ａと、該錠止アーム部５９ａの前後方向両端部にて垂下してベース板３９に軸支される軸支アーム部５９ｂとから構成される。軸支アーム部５９ｂは錠止アーム部５９ａが保持板４５の図示する右側端部上面に当接して錠止した際に保持板４５の各上向き凹所５１内に保持された夫々の弾性板３７を、ベース板３９の各下向き凹所４１に保持された各基板３５に密着させる長さに設定される。
【００２９】
尚、保持板４５に対して錠止部材５９を錠止した際に、基板３５に対して弾性板３７を確実に密着させる必要があるが、軸支アーム部５９ｂの長さを短くして保持板４５に錠止部材５９を強固に密着させる場合には、錠止時及びその解除時の操作性が悪くなる。これを回避するため、図８に示すように錠止アーム部５９ａにおける保持板４５への相対面に板ばねやばね付きピン等の付勢部材６１（図６は付勢部材として板バネを設けた例を示す）を取り付け、該付勢部材６１の弾性力により保持板４５を閉鎖方向へ付勢して基板３５に対する弾性板３７の密着性を高めればよい。
【００３０】
次に、蛋白質チップ３３を作製する際及び作製した蛋白質チップ３３を使用して被検試料を分析する際の蛋白質チップ保持具７の使用態様を説明する。
先ず、蛋白質チップ３３を作製する際の蛋白質チップ保持具７の使用例を説明する。
【００３１】
蛋白質チップ３３を作製するに先立って吸引吐出切換装置１７により各吸引針１３と吸引吐出装置２５の各シリンジ２５ａとを接続させた状態で可動体１１を移動制御して多数の吸引針１３を、蛋白質試料溶液が溜められた容器体の各溜り部内に没入した後に、ピストンを吸引方向へ移動して溜り部内の蛋白質試料溶液をシリンジ２５ａ内に吸引して溜める。
【００３２】
上記した吸引作用後に吸引吐出切換装置１７の切換盤２１を移動して吸引吐出装置２５の各シリンジ２５ａと各分注針３１とが接続するように流路を切り換える。
【００３３】
一方、図９に示すようにベース板３９に対して保持板４５を開放方向へ回動させた状態で、ベース板３９の各下向き凹所４１内に基板３５を、また保持板４５の各上向き凹所５１内に弾性板３７をセットした後、図１に示すようにベース板３９に対して保持板４５を閉鎖方向へ回動して保持板４５の先端部に錠止部材５９を錠止させる。
【００３４】
このとき、錠止部材５９の錠止により保持板４５をベース板３９側へ付勢して弾性板３７を弾性変形させて基板３５に密着させる。また、ベース板３９に対して保持板４５が閉鎖方向へ回動された際に作動部材５７の係合部５７ａを係合孔５５ａに係合させる。更に、図１０に示すように保持板４５の上面にて図示する右方へ移動した開閉板５３における各スリット５３ａ間が孔４５ａに位置して各孔３７ａを閉鎖させる。
【００３５】
尚、上記したように基板３５に対する弾性板３７の相対面は予め研磨されて平滑化されているため、基板３５に対して弾性板３７を高い気密度で密着させることができる。
【００３６】
そして上記状態にて作動部材５７を作動して開閉板５３を、例えば図１１に示す左方へ移動して各スリット５３ａを保持板４５における夫々の孔４５ａに一致させることにより弾性板３７における各孔３７ａを外部に露出させる。
【００３７】
次に、上記状態にて可動体２９を移動制御して各分注針３１を露出した前後方向第１列目に設けられた弾性板３７における夫々の孔３７ａに対してスリット５３ａ及び孔４５ａを介して相対させた後に可動体２９を下降して各分注針３１の先端部を夫々の孔３７ａ内に移動させる。この状態にて各シリンジ２５ａ内のピストンを微小移動してシリンジ２５ａ内に溜められた蛋白質試料溶液を各分注針３１側へ吐出して夫々の孔３７ａ内へ分注する。
【００３８】
このとき、シリンジ２５ａにおけるピストンの移動量は孔３７ａ内に溜められる蛋白質試料溶液が０．５〜１０μｌ、望ましくは５μｌになるようにその移動量を制御する。また、上記したように基板３５の上面に対して弾性板３７が高い気密度で密着しているため、孔３７ａ内に溜められた蛋白質試料溶液が漏出して各孔３７ａ内に溜められたそれぞれの蛋白質試料溶液が相互汚染するのを防止する。
【００３９】
次に、可動体２９を上方へ移動して前後方向第１列目の弾性板３７の孔３７ａから夫々の分注針３１を抜き出した後に可動体２９を前後方向へ移動して前後方向第２列目の弾性板３７における各孔３７ａに相対させた後、上記と同様に可動体２９を下動して各分注針３１を夫々の孔３７ａ内に進入させた状態で各シリンジ２５ａのピストンを移動して前後方向第２列目における弾性板３７の各孔３７ａ内に所定量の蛋白質試料溶液を分注する。
【００４０】
上記動作の繰り返しによりベース板３９にセットされた各基板３５に密着する夫々の弾性板３７における孔３７ａ内に所定量の蛋白質試料溶液を分注して５枚の蛋白質チップ３３を作製した後、作動部材５７を復動して開閉板５３を図示する右方へ移動して各スリット５３ａ間の開閉板５３を各スリット４５ａに位置させることにより各孔３７ａを閉鎖する。
【００４１】
これにより蛋白質チップ３３における弾性板３７の各孔３７ａ内に溜められた蛋白質試料溶液が乾燥して蛋白質が変性したり、失活するのを防止し、後述する液相中における被検試料と確実に反応させる蛋白質チップ３３に作製することができる。
【００４２】
次に、被検試料との反応時における蛋白質チップ保持具７による蛋白質チップ３３の保持状態を説明する。
蛋白質チップ３３における蛋白質試料に被検試料を分注するに先立って蛋白質チップ３３を作製する際に使用した多数の吸引針１３や吸引吐出切換装置１７、吸引吐出装置２５及び分注針３１やこれらを接続するパイプ１８・２３・２７内を洗浄する。
【００４３】
これらに付着した蛋白質試料洗浄方法としては、先ず、吸引吐出装置３及び分注装置５に応じた本体フレーム９上に回収容器（図示せず）を夫々戴置した状態で吸引吐出切換装置１７により夫々の流路を切り換えながら吸引吐出装置２５を作動して吸引針１３、吸引吐出切換装置１７、吸引吐出装置２５及び分注針３１やこれらを接続するパイプ１８・２３・２７内の余分の蛋白質試料用液を各吸引針１３及び各分注針３１から夫々の回収容器内に夫々吐出して回収する。
【００４４】
次に、吸引吐出装置３側の本体フレーム９上に載置された洗浄液溶器（図示せず）内に各分注針３１を没入した状態で吸引吐出装置２５を吸引作動して洗浄液をシリンジ２５ａ内に吸引した後に吸引吐出切換装置１７により流路を吸引針１３側及び分注針３１側に順に切り換えた状態で吸引吐出装置２５を吐出作動して溜められた洗浄液を各吸引針１３又は分注針３１から回収容器内に吐出する作業を複数回繰り返して吸引針１３、吸引吐出切換装置１７、吸引吐出装置２５、分注針３１及びこれらを接続するパイプ１８・２３・２７に付着した蛋白質試料用液を洗浄する。
【００４５】
これらの洗浄に使用する洗浄液としては、０．００５〜０．１％Ｔｗｅｅｎ２０水溶液、超純水、ＰＢＳを順に使用して洗浄した後、吸引吐出装置２５の各シリンジ２５ａのピストンを移動操作して内部の空気を各吸引針１３及び各分注針３１から吐出してこれら吸引針１３、吸引吐出切換装置１７及び分注針３１とこれらを接続するパイプ１８・２３・２７内を乾燥させる。
【００４６】
上記した洗浄処理後に、各溜り部内に分析しようとする被検試料溶液を溜めた容器体を、吸引吐出装置３に応じた本体フレーム９上にセットした後に蛋白質チップ３３を作製する際と同様に可動体１１を移動制御して各吸引針１３を被検試料溶液が溜められた容器体の各溜り部内に没入させた後に吸引吐出装置２５における各ピストンを吸引作動して溜り部内の被検試料溶液をシリンジ２５ａ内に吸引して溜める。
【００４７】
上記した被検試料溶液の吸引動作後、吸引吐出切換装置１７の切換盤２１を移動して吸引吐出装置２５の各シリンジ２５ａと各分注針３１とが接続するように流路を切り換えた後に可動体２９を移動制御して各分注針３１を蛋白質チップ保持具７に保持された、例えば前後方向第１列目の蛋白質チップ３３における弾性板３７の各孔３７ａに夫々相対させる。
【００４８】
その際、蛋白質チップ保持具７における作動部材５７を作動して開閉板５３を移動して作製された各蛋白質チップ３３における弾性板３７の孔３７ａを外部に露出させる。
【００４９】
次に、上記状態にて可動体２９を下方へ移動して各分注針３１を夫々の孔３７ａ内に進入させた後、吸引吐出装置２５の各ピストンを吐出方向へ所定量移動してシリンジ２５ａ内に溜められた所定量の被検試料溶液を夫々の分注針３１から孔３７ａ内へ吐出させる。
【００５０】
上記動作の繰り返しにより蛋白質チップ保持具７にセットされた各蛋白質チップ３３における弾性板３７の孔３７ａ内に被検試料溶液を所定量で吐出した後、作動部材５７を復動して開閉板５３を閉鎖方向へ移動して各蛋白質チップ３３における弾性板３７の各孔３７ａを閉鎖し、該状態で各蛋白質チップ３３における弾性板３７の各孔３７ａ内に溜められた蛋白質試料と被検試料とを液相反応させて分析を行う。
【００５１】
この反応時においては、開閉板５３により各蛋白質チップ３３における弾性板３７の各孔３７ａが外気と遮断されているため、各孔３７ａ中に溜められた蛋白質試料溶液及び被検試料溶液が乾燥するのを防止して液相反応を確実に行うことができる。
【００５２】
本実施形態は、以下の作用効果を有している。
１．基板３５がセットされたベース板３９に対して弾性板３７がセットされた保持板４５を閉鎖操作することにより、両者を位置決めした状態で重ね合わせることができる。その際に基板３５に対して弾性板３７を弾性変形させることにより両者の密着性を高めることができ、弾性板３７の各孔３７ａ内に分注された蛋白質試料溶液や被検試料溶液が漏出して相互汚染するのを防止することができる。
【００５３】
２．弾性板３７における基板３５の相対面が研磨処理により高精度に平滑化されるため、基板３５に対する密着性を高めて弾性板３７の各孔３７ａ内に分注された蛋白質試料溶液や被検試料溶液が漏出して相互汚染するのを防止することができる。
【００５４】
３．蛋白質チップを作製したり、作製された蛋白質チップを使用して分析を行う際には、開閉板５３を移動して蛋白質試料溶液やこれに分注された被検試料溶液が溜められる弾性板３７における各孔３７ａを露出させることによりそれぞれの溶液の分注を可能にする一方、作製後や反応時においては開閉板５３を移動して弾性板３７の孔３７ａを閉鎖して分注された蛋白質試料やこれに加えられた被検試料の乾燥を防止して蛋白質や被検試料の変性や失活を防止し、被検試料の分析を有効に行うことができる。
【００５５】
４．錠止部材５９に設けられた付勢部材６１により開閉板５３をベース板３９側へ付勢することにより基板３５に対する弾性板３７の密着性を高めて各孔３７ａ内に分注された蛋白質試料溶液や被検試料溶液が漏出して相互汚染するのを防止する。
【００５６】
本発明は以下のように変更実施することができる。
１．上記説明のベース板３９には５枚の基板３５をセットできる構造としたが、一列５枚で複数行数の基板３５をセットできる構造としてもよい。この場合にあっては各行毎に開閉板５３を設けた保持板４５及び錠止部材５９を設ける構成とすればよい。
【００５７】
２．上記説明は、保持板４５に、保持される弾性板３７の孔３７ａに一致する多数の孔４５ａを設ける構成としたが、弾性板３７における列方向の複数の孔３７ａ全体に一致する長さからなる複数のスリット４５ｂとしてもよい。また、同様に開閉板５３のスリット５３ａを少なくとも弾性板３７の孔３７ａと一致する孔としてもよい。
【００５８】
３．上記説明は、作動部材により開閉板を選択的に移動して弾性板３７の孔３７ａを開閉するものとしたが、本発明において作動部材は必須の構成ではなく、作業者が手で開閉板を移動させてもよい。
【００５９】
４．上記説明は、作動部材５７の正逆作動により保持板４５に対して開閉板５３を移動して孔３７ａを開閉する構成としたが、保持板４５と開閉板５３とに引っ張りばね又は圧縮ばねを取り付け、これらばね部材の弾性力により常には保持板４５に対して開閉板５３を閉鎖方向へ移動させる一方、作動部材により開閉板５３を開放方向へ移動して孔３７ａを開放させる構成であってもよい。
【００６０】
【発明の効果】
本発明は、基板上にスポッティングされる蛋白質試料の極微量化を図りながら蛋白質の乾燥による変性及び失活を防止して分析作業を有効に行うことができる。
【図面の簡単な説明】
【図１】蛋白質チップ保持具の全体斜視図である。
【図２】蛋白質試料溶液スポッティング装置の全体正面図である。
【図３】蛋白質チップ保持具の弾性体保持部材を解放した状態を示す斜視図である。
【図４】図１のＡ−Ａ線縦断面図である。
【図５】図１のＢ−Ｂ線縦断面図である。
【図６】開閉部材の他の支持構造例を示す説明図である。
【図７】開閉部材の他の支持構造例を示す説明図である。
【図８】錠止部材による付勢構造を示す説明図である。
【図９】蛋白質チップ保持具に基板及び弾性板のセット状態を示す説明図である。
【図１０】弾性体保持部材の閉鎖状態を示す説明図である。
【図１１】弾性体保持部材における孔の開放状態を示す説明図である。
【符号の説明】
７−蛋白質チップ保持具、３３−蛋白質チップ、３５−基板、３７−弾性体としての弾性板、３７ａ−孔、３９−基板保持部材としてのベース板、４５−弾性体保持部材としての保持板、４５ａ−孔、５３−開閉板、５３ａ−スリット
【図１】
0003618317.tif 000002
【図２】
0003618317.tif 000003
【図３】
0003618317.tif 000004
【図４】
0003618317.tif 000005
【図５】
0003618317.tif 000006
【図６】
0003618317.tif 000007
【図７】
0003618317.tif 000008
【図８】
0003618317.tif 000009
【図９】
0003618317.tif 000010
【図１０】
0003618317.tif 000011
【図１１】
0003618317.tif 000012